(57)【要約】【課題】本発明は、下面に存在するソーラーセルの濃紫色が確認されることがなく、かつ、デザイン的にバラエティーに富み、高級感がある、ソーラー時計用文字板などの、光を透過することができる時計用文字板を提供する。【解決手段】光透過性基材１の上面に、例えば有色樹脂、天然貝のような装飾部材４を固着させ、その反対の面である光透過性基材１の下面には、光を透過することができる有色薄膜５、（例えば光が透過できる程度の厚さの塗装膜、金属薄膜など）を設けることにより、光を透過することができる時計用文字板が提供できる。また、下面に設ける有色薄膜５を、上面に設けた装飾部材２と、上下方向で重ならない位置に設けることによって、より効果的に光を透過することができる。【選択図】　　　図４
2004132716.tif 000002
【特許請求の範囲】
【請求項１】
光透過性基材を用いた時計用文字板において、前記光透過性基材の上面に装飾部材を固着させ、その反対面の表面には、透過性の有色薄層を設け、前記装飾部材と前記有色薄層とは接しないことを特徴とする時計用文字板。
【請求項２】
前記光透過性基材は、ガラスまたは合成樹脂の光を透過できる基材から構成されていることを特徴とする請求項１記載の時計用文字板。
【請求項３】
前記装飾部材は、天然貝、金属、貴石または有色樹脂のうちの１つ以上から構成されていることを特徴とする請求項１記載の時計用文字板。
【請求項４】
前記装飾部材の下面には、樹脂裏打ち層を有していることを特徴とする請求項１または請求項３記載の時計用文字板。
【請求項５】
前記有色薄層は、塗料、インク、または金属薄膜のいずれか１つから構成され、光を透過することができる層であることを特徴とする請求項１記載の時計用文字板。
【請求項６】
前記有色薄層は、少なくとも前記光透過性基材の上面に固着させた装飾部材と、上下方向において重ならない位置に設けられていることを特徴とする請求項１または請求項５記載の時計用文字板。
【請求項７】
前記装飾部材は、前記光透過性基材上に形成された凹部に固着され、その表面は前記光透過性基材の表面と、同一平面を形成することを特徴とする請求項１から請求項３のいずれか１項に記載の時計用文字板。
【発明の詳細な説明】
【０００１】
【発明の属する技術分野】
本発明は、時計用文字板に関し、特にソーラー用の文字板や、エレクトロルミネッセンス（以下ＥＬと記す）などの照明装置を有する時計の文字板に関するものである。
【０００２】
【従来の技術】
時計用文字板の中で、太陽電池を搭載しているソーラー時計用の文字板は、その下面側に配設される太陽電池（ソーラーセル）に光を入射させるために、光透過性が要求される。また、バックライト付き時計用文字板は、その下面側に配設したＥＬの発光した光を透過させて、文字板を照明する機能を果たすので、同様に光透過性が要求される。そのため、ソーラー時計用文字板や、バックライト付き時計用文字板にはプラスチック、セラミック、ガラスなどの光透過性の材料が用いられている。
【０００３】
しかしながら、ソーラー時計用文字板に光透過性の材料を使う場合、太陽電池独特の濃紫色が透けて見えてしまうため、特に高級品としては見栄えが良くない。それゆえ、太陽電池の濃紫色が見えないよう、文字板に立体的な模様、時字やマーク等の指標を形成する工夫も様々行われてきたが、デザイン的にバラエティーに富んだものへの太陽電池の搭載は、前述のような制約があり、非常に困難であった。
【０００４】
一方、デザイン的に装飾性の高さが求められる分野においては、特許文献１のような、模様などを含んだ感光性ガラス組成物１００の文字板ベースに、さらにその下に合成樹脂、木材、金属、または石材などの薄板１０５を重ね合わせて、装飾効果を高めている開示がある。
【０００５】
文字板ベースである感光性ガラス組成物１００に対し、紫外線処理及び、それに続く加熱処理により、図５に示すように例えば１０１の部分を無色透明、１０２の部分を透明青色、１０３の部分を透明赤色、１０４の部分を透明ピンク、その他多種多様の組み合わせにより時計用文字板中に表示文字、複雑な模様等、装飾要素の盛り込みを可能とすることができる。
【０００６】
また、さらに図６に示した如く、前記のようにして形成された透明色彩ガラス下にメッキ、蒸着、腐食、塗装などの表面処理を施した金属板、または天然の木目模様を有する木、合成樹脂、または石材の薄板１０５を重ねることにより、更に奥行きのある装飾効果を与えるものである。
【０００７】
【特許文献１】
特開昭４９−５６６７６号公報（第１頁〜第３頁）
【０００８】
【発明が解決しようとする課題】
しかしながら、前述の文字板において、デザイン的にバラエティーに富んだ文字板の提供が可能とはなるが、高級品としては、天然貝や金属、貴石などが用いられている文字板に対して、見劣りするところがある。
【０００９】
また、前記の文字板では、文字板ベースの感光性ガラス組成物に、合成樹脂、木材、金属、または石材の薄板を重ね合わせているため、ソーラー時計用文字板やバックライト付き時計用文字板としては、必要不可欠である光透過性を示すことができない。
【００１０】
本発明は、係る課題を解決し、高級感があり、光を透過することができ、かつソーラー時計用文字板の場合は、下面に存在するソーラーセルの濃紫色が確認されることのない、時計用文字板を提供することにある。
【００１１】
【課題を解決するための手段】
上述の問題を解決するために、本発明における時計用文字板は、光透過性基材を用いた時計用文字板において、前記光透過性基材の上面に装飾部材を固着させ、その反対面の表面には、透過性の有色薄層を設け、前記装飾部材と前記有色薄層とは接しない。
【００１２】
また、前記光透過性基材は、ガラスまたは合成樹脂の光を透過できる基材から構成されている。
【００１３】
また、前記装飾部材は、天然貝、金属、貴石または有色樹脂のうちの１つ以上から構成されている。
【００１４】
また、前記装飾部材の下面には、樹脂裏打ち層を有している。
【００１５】
また、前記有色薄層は、塗料、インク、または金属薄膜のいずれか１つから構成され、光を透過することができる層である。
【００１６】
また、前記有色薄層は、少なくとも前記光透過性基材の上面に固着させた装飾部材と、上下方向において重ならない位置に設けられている。
【００１７】
また、前記装飾部材は、前記光透過性基材上に形成された凹部に固着され、その表面は前記光透過性基材と共磨きになるまで研磨され、同一平面を形成する。
【００１８】
【発明の実施の形態】
以下、図面に基づいて本発明における時計用文字板の実施例１、実施例２について図１から図４を参照して詳細に説明する。
【００１９】
（実施例１）
実施例１として、光透過性基材１の上面に、装飾部材として、天然貝２をサークル状に固着させ、光透過性基材１の下面に、有色薄膜として、金属薄膜３を設けた時計用文字板について述べる。図１は、時計用文字板である、ソーラー用文字板の斜視図、図２は、ソーラー用文字板のＡ−Ａ断面図である。
【００２０】
透明な高強度ガラス板である光透過性基材１の上面で、天然貝（装飾部材）２を固着させる部分以外を、フォトレジスト膜で覆い、マスク保護を施す。フォトレジスト膜でマスク保護された部分が存在する、光透過性基材１の上面を、フッ化アンモニア成分を含むエッチング液を用いてエッチング処理することによって、天然貝２を固着させる部分のみがエッチングされ、凹部となる。この凹部の深さは、１８０〜２００μｍ程度が好ましい。
【００２１】
エッチング終了後、有機系のレジスト剥離液を用いて、フォトレジスト膜を除去する。その後、エッチング処理によって形成した凹部に、同形状かつ、凹部の深さよりもやや厚めにカットした天然貝２を、透明接着剤を用いて接着する。
【００２２】
天然貝２を固着した光透過性基材１の上面を、天然貝２と光透過性基材１が共磨きになるまで研磨する。天然貝２と、光透過性基材１とが同一平面を形成することによって、深みのある高級感が得られる。また、研磨によって、美しいミラー状に磨き上げられることによって、更にいっそう見栄えが良くなる。
【００２３】
次に、光透過性基材１の、天然貝２を固着した面と反対の面（下面）の全体に、真空蒸着方法によって、光を透過できる程度の薄さの金属薄膜（有色薄膜）３を設ける。また、金属薄膜２の厚さが厚くなると、光の透過率が低くなり、文字板の下に設ける太陽電池が目的を果たせなくなるので、適度な薄さに設ける。
【００２４】
上記のようにして得られたソーラー用文字板は、装飾的にも高級感があり、また、光を透過することができるので、下面に設置されているソーラーセル（太陽電池）も充分稼働できる。
【００２５】
また、装飾部材として、天然貝、貴石（トラメ石、オニキス、十勝石、メノウ等）などのように、光を透過することができる部材を使用した場合、装飾部材の下面に、塗装、印刷などの手段により、樹脂裏打ち層を設けることで、装飾部材の色合いに変化を持たせることができる。例えば、白色色調の樹脂裏打ち層を施した場合、光の反射により、装飾部材の色調を浮き出させることができる。また、有色色調の樹脂裏打ち層を施した場合、装飾部材の色合いとの組み合わせで、装飾部材の色調が変化して見えるので、デザイン的にも微妙な色彩の表現が可能となる。さらに、この文字板をバックライト付き時計用文字板として使用した場合、文字板の下面側から発せられた光により、装飾部材が照明され輝くことによって、バックライト点灯時においても高級感が感じられる文字板が映し出される。
【００２６】
また、この金属薄膜３を構成する金属は、求められるデザインに応じて適切な金属色調の金属が選択できる。例えば、金色が求められる場合には、金（Ａｕ）、シルバー色でも白味が求められる場合には、白金（Ｐｔ）、アルミニウム（Ａｌ）、または黄色味が求められる場合には、ニッケル（Ｎｉ）など選択の幅が広い。
【００２７】
また、光透過性基材１の下面に設ける有色薄膜は、金属に限らず、塗料、インクなど光を、透過できる程度の薄さに塗布することによっても得られ、同様の効果が得られることは言及するまでもなく容易である。
【００２８】
（実施例２）
実施例２として、光透過性基材１の上面に、装飾部材として、有色樹脂４をストライプ状に固着させ、光透過性基材１の下面には、有色薄膜として、印刷膜５を設けたソーラー用文字板について述べる。図３は、時計用文字板であるソーラー用文字板の斜視図、図４は、ソーラー用文字板のＢ−Ｂ断面図である。
【００２９】
透明な高強度ガラス板である光透過性基材１の上面で、有色樹脂（装飾部材）４を設ける部分以外に耐ブラスト性を示すマスク剤を用い、マスク保護を施す。のちに、凹部に有色樹脂４を流し込むことを考慮し、凹部から有色樹脂４が流れ出ないよう、光透過性基材１の外周も凹部にならないようにマスク保護しておくことが好ましい。
【００３０】
また、マスクはスクリーン印刷で、厚膜の樹脂マスクを形成する方法や、金属の薄板を、光透過性基材の凹部を形成する形状に合わせてくり抜いたものを、マスクとして利用する方法でも良い。
【００３１】
次に、マスク保護された部分が存在する、光透過性基材１の上面に、エアーコンプレッサーによって、加圧されたエアーと共に、砥粒を吹き付ける、ブラスト加工を施すことにより、有色樹脂４を設ける部分を凹部とする。この凹部の深さは、１８０〜２００μｍ程度が好ましい。
【００３２】
ブラスト加工終了後、光透過性基材１の表面からブラスト加工時の残留砥粒とマスク剤を除去し、ブラスト加工によって形成した凹部に、流動性を持った状態の有色樹脂４を流し込む。有色樹脂４を完全に硬化させた後、有色樹脂４を設けた光透過性基材１の上面を、有色樹脂４と光透過性基材１が共磨きになるまで研磨する。有色樹脂４と光透過性基材１とが同一平面を形成することによって、深みのある質感が得られる。また、研磨によって、美しいミラー状に磨き上げられることによって、更にいっそう見栄えが良くなる。
【００３３】
次に、光透過性基材１の、有色樹脂４を設けた面と反対の面（下面）で、有色樹脂４と上下方向に重ならない部分に、カラー印刷によって、光を透過できる程度の薄さにインクを塗布し、印刷膜（有色薄膜）５を形成する。実施例１と同様に、インクの印刷膜５の厚さが厚くなると、光の透過率が低くなり、文字板の下に設ける太陽電池が目的を果たせなくなるので、適度な薄さに設ける。
【００３４】
また、ここで有色樹脂４を設けた面と反対の面（下面）で、有色樹脂４と上下方向に重る部分には、印刷膜５を設けなかったことで、図４に示すように、ソーラー用文字板に対して、斜め方向から入射する光をより効果的に、ソーラー用文字板の下面に設置するソーラーセル（太陽電池）（図示せず）へ透過することができる。
【００３５】
また、同様の文字板を、バックライト付き時計用文字板にも、設置することができることは言うまでもなく容易である。この場合は、文字板の下面から発せられる光が、光透過性基材の下面に設けた有色薄膜を通さず、直接装飾部材を照らすことができる。したがって、装飾部材として光を透過できるものを固着した場合、バックライト点灯時に装飾部材がよりいっそう輝くので、さらなる高級感が得られる。
【００３６】
また、光透過性基材の下面に設ける有色薄膜は、実施例１同様インクや金属蒸着膜においても実施可能であり、また、同様な効果を得られることは、言及するまでもなく容易である。ただし、金属蒸着膜を実施例２のように、部分的に設ける場合は、真空蒸着処理を行う前に、金属蒸着膜を設けたくない部分に、レジスト膜でマスク保護をし、真空蒸着処理後に有機溶剤でレジスト膜を剥離する作業が必要となる。
【００３７】
なお、実施例において、光透過性基材として硬質ガラスを用いたが、光を透過し、研磨可能な基材であればその他のガラス、プラスチックにおいても実施可能であり、また同様の効果が得られることは言及するまでもなく容易である。
【００３８】
また、光透過性基材に固着させる装飾部材においても、天然貝、有色樹脂のみならず、デザイン的に文字板を装飾しうることのできる貴石、金属においても実施可能であり、同様の効果が得られることは言及するまでもない。
【００３９】
また、１枚の文字板に多種（天然貝、貴石、金属、有色樹脂）の装飾部材を固着することで、変化に富んだデザイン表現をすることができる。
【００４０】
【発明の効果】
以上説明したように、本発明によれば、文字板の裏面に光透過性の有色膜を設けることによって、文字板の下面に存在する太陽電池（ソーラーセル）へ、光を透過でき、かつ濃紫色が確認されることがないため、特に、装飾性的に優れたソーラー用文字板を容易に提供できる。
【００４１】
また、文字板表面に天然貝や金属、貴石、有色樹脂など固着させ、さらに文字板裏面にも光透過性の有色膜を設けることによって、深みのある高級感が感じられ、また、デザイン的にもバラエティーに富んだ時計用文字板であるソーラー用文字板や、ＥＬなどの照明装置を有する時計の文字盤を提供することができる。
【図面の簡単な説明】
【図１】本発明の実施例１における、ソーラー用文字板の斜視図である。
【図２】本発明の実施例１における、ソーラー用文字板のＡ−Ａ断面図である。
【図３】本発明の実施例２における、ソーラー用文字板の斜視図である。
【図４】本発明の実施例２における、ソーラー用文字板のＢ−Ｂ断面図である。
【図５】従来例における文字板の平面図である。
【図６】従来例における文字板のＣ−Ｃ断面図である。
【符号の説明】
１　光透過性基材
２　天然貝（装飾部材）
３　金属薄膜（有色薄膜）
４　有色樹脂（装飾部材）
５　印刷膜（有色薄膜）
１００　感光性ガラス組成物
１０１　無色透明
１０２　透明青色
１０３　透明赤色
１０４　透明ピンク
１０５　薄板
【図１】
2004132716.tif 000003
【図２】
2004132716.tif 000004
【図３】
2004132716.tif 000005
【図４】
2004132716.tif 000006
【図５】
2004132716.tif 000007
【図６】
2004132716.tif 000008